(57)【要約】【課題】  光コネクタを接続すると同時に保持する機構を有することにより光コネクタを嵌合するだけで、接続及び保持ができる光コネクタ及び光アダプタを提供すること。【解決手段】  光コネクタ１０６，１０７は、回転軸１ｆを中心に回転自在に保持され、かつ光コネクタ１０２，１０７同士の離脱を防止するロック用ばね１を有する。ロック用ばね１は、非ロック位置から係止位置までロック用ばね１を回転させるカム部１ａと、係止位置で相手側光コネクタ１０２の離脱を防止するロロック部１ｂとを有する。相手側光コネクタ１０２は、カム部１ａと協働してロック用ばね１を駆動する被カム部２ｂを有し、相手側光コネクタ１０２と嵌合する際、光コネクタ１０２，１０７のカム部１ａと相手側光コネクタ１０２の前記被カム部２ｂとの協働作用により、ロック用ばね１が係止位置まで回転し、ロック部１ｂが相手側光コネクタ１０２と係合し、ロックするように構成されている。【選択図】      図１
2005283649.tif 000002
【特許請求の範囲】
【請求項１】
相手側光コネクタと第1の方向に嵌合して接続する光コネクタにおいて、前記光コネクタは、前記第1の方向に交差する第２の方向に沿う軸を中心軸として回転自在に保持され、かつ当該光コネクタ同士の嵌合を第１の回転位置において前記第１の方向への離脱を防止するロックを行う係合部材を有し、前記係合部材は、非ロック位置である第２の回転位置から前記第１の回転位置まで当該係合部材を回転させるためのカム部と、前記第１の回転位置で前記相手側光コネクタの前記第１の方向への離脱を防止するロックを行うロック部とを有し、前記相手側光コネクタは、前記カム部と協働して前記係合部材を駆動する被カム部を有し、前記相手側光コネクタと前記光コネクタが嵌合する際、前記光コネクタの前記カム部と前記相手側光コネクタの前記被カム部との協働作用により、前記係合部材が前記第１の回転位置まで回転し、前記ロック部が前記相手側光コネクタと係合し、ロックするように構成したことを特徴とする光コネクタ。
【請求項２】
相手側光コネクタと第1の方向に嵌合して光学部品と接続させるための光アダプタにおいて、前記光アダプタは、前記第1の方向に交差する第２の方向を中心軸として回転自在に保持され、かつ相手側光コネクタと光学部品との嵌合を第１の回転位置において前記第１の方向への離脱を防止するロックを行う係合部材を有し、前記係合部材は、非ロック位置である第２の回転位置から前記第１の回転位置まで当該係合部材を回転させるためのカム部と、前記第１の回転位置で前記相手側光コネクタを前記第１の方向への離脱を防止するロックを行うロック部とを有し、前記相手側光コネクタは、前記カム部と協働して前記係合部材を駆動する被カム部を有し、前記相手側光コネクタと前記嵌合する際、前記光アダプタの前記カム部と前記相手側光コネクタの前記被カム部との協働作用により、前記係合部材が前記第１の回転位置まで回転し、前記ロック部が前記相手側光コネクタと係合し、ロックするように構成したことを特徴とする光アダプタ。
【発明の詳細な説明】
【技術分野】
【０００１】
本発明は光コネクタの接続において、光コネクタを挿入することによりロックする機構をもち、接続が容易となる光コネクタ及び光アダプタに関する。
【背景技術】
【０００２】
従来、光ファイバや光モジュール等に、図７の斜視図に示す光コネクタが提案されている（例えば、特許文献１、参照）。図７は従来の光コネクタの一例を示す分解組立斜視図である。図７を参照すると、光コネクタは、少なくとも１芯以上からなるファイバ３４を光コネクタ３１と一体化し相手方の光コネクタ３１と突き合せて接続する方法が取られている。光コネクタ３１同士の芯合せは、例えば、相互の光コネクタ３１に一対のピン孔３５を設け、片側の光コネクタ３１に一対のピン３２をピン孔３５に挿入し、そのピン３２が他方の光コネクタ３１に設けた一対の図示しないピン孔に嵌合することにより行われる。
【０００３】
また、保持方法として、例えば、両側にバネ片３３ａをもったクリップ３３に突き合せて接続した一対の光コネクタ３１を取り付ける方法が取られている。
【０００４】
また、図８に示す光アダプタが提案されている（例えば、特許文献２、参照）。図８は従来の光アダプタの一例を示す斜視図である。
【０００５】
図８を参照すると、従来の光コネクタの他の例では、ハウジング４５に回転可能に係止されたロック用ばね４６を有し、光コネクタ４１を接続後、ロック用ばね４６を下げる。その際に、ばね片４６ａは光コネクタ４１を係止し、ロック用ばね４６はハウジング４５に保持されるものである。
【０００６】
従来の例の様に光コネクタ３１，４１を接続、保持させるには、接続してから保持をする様に別々の工程で行う必要があり手間が掛かっていた。
【０００７】
【特許文献１】特開２００３−１３９９９８号公報
【特許文献２】特開２００２−４０２９６号公報
【発明の開示】
【発明が解決しようとする課題】
【０００８】
そこで、本発明の技術的課題は、光コネクタを接続すると同時に保持する機構を有することにより光コネクタを嵌合するだけで、接続及び保持ができる光コネクタ及び光アダプタを提供することにある。
【課題を解決するための手段】
【０００９】
本発明によれば、相手側光コネクタと第1の方向に嵌合して接続する光コネクタにおいて、前記光コネクタは、前記第1の方向に交差する第２の方向を中心軸として回転自在に保持され、かつ当該光コネクタ同士の嵌合を第１の回転位置において前記第１の方向への離脱を防止するロックを行う係合部材を有し、前記係合部材は、非ロック位置である第２の回転位置から前記第１の回転位置まで当該係合部材を回転させるためのカム部と、前記第１の回転位置で前記相手側光コネクタを前記第１の方向への離脱を防止するロックを行うロック部とを有し、前記相手側光コネクタは、前記カム部と協働して前記係合部材を駆動する被カム部を有し、前記相手側光コネクタと前記嵌合する際、前記光コネクタの前記カム部と前記相手側光コネクタの前記被カム部との協働作用により、前記係合部材が前記第１の回転位置まで回転し、前記ロック部が前記相手側光コネクタと係合し、ロックするように構成したことを特徴とする光コネクタが得られる。
【００１０】
また、本発明によれば、相手側光コネクタと第1の方向に嵌合して光学部品と接続させるための光アダプタにおいて、前記光アダプタは、前記第1の方向に交差する第２の方向を中心軸として回転自在に保持され、かつ相手側光コネクタと光学部品との嵌合を第１の回転位置において前記第１の方向への離脱を防止するロックを行う係合部材を有し、前記係合部材は、非ロック位置である第２の回転位置から前記第１の回転位置まで当該係合部材を回転させるためのカム部と、前記第１の回転位置で前記相手側光コネクタを前記第１の方向への離脱を防止するロックを行うロック部とを有し、前記相手側光コネクタは、前記カム部と協働して前記係合部材を駆動する被カム部を有し、前記相手側光コネクタと前記嵌合する際、前記光アダプタの前記カム部と前記相手側光コネクタの前記被カム部との協働作用により、前記係合部材が前記第１の回転位置まで回転し、前記ロック部が前記相手側光コネクタと係合し、ロックするように構成したことを特徴とする光アダプタが得られる。
【発明の効果】
【００１１】
本発明においては、光コネクタを接続すると同時に保持する機構を有することにより光コネクタを嵌合するだけで、接続及び保持ができる光コネクタ及び光アダプタを提供することができる。
【発明を実施するための最良の形態】
【００１２】
以下、本発明の実施の形態について図面を参照しながら説明する。
【００１３】
図１及び図２は本発明の実施の形態による光コネクタを示す斜視図で、図１は嵌合前の状態、図２は嵌合時の状態を夫々示している。また、図３，図４及び図５は図１の光コネクタの断面図であり、図３及び図４は嵌合前の状態、図５は嵌合時の状態を夫々示している。
【００１４】
図１乃至図４を参照すると、光コネクタ１０６を収容した光アダプタ１０７を含めてここでは、光コネクタと呼び、この光コネクタと嵌合する光コネクタ１０２をここでは、相手側光コネクタと呼び、相手側光コネクタと、光コネクタとの嵌合方向である光コネクタ１０２と光アダプタ１０７及び光コネクタ１０６の中心軸方向を第１の方向と呼ぶ。
【００１５】
相手側コネクタである光コネクタ１０２は、光ファイバ４を接続するためにこの光ファイバ４の一端を収容するために設けられている。この光コネクタ１０２は、前方から後方に向かって設けられた位置決め用のピン孔２ａを備えた箱型のハウジング２ｇと、ハウジング２ｇよりも後方で一回り大きなカム支持部２ｈを備えている。カム支持部２ｈの下端両側に、後方から前方に向かって延在する板状のカム２ｂ（被カム部）を備えている。カム２ｂは、光アダプタ１０７のロック用ばね１を回転及びロックするためのカム２ｂ先端に斜面２ｅを備える。また、カム支持部２ｈは後方両側に一対のテーパ部２ｄと、カム支持部２ｈの後端面である係合面２ｉとを備える。このテーパ部２ｄは、ロック用ばね１の第１の回転位置である係合面２ｉに至る接続性をスムーズに行うために設けられている。
【００１６】
相手側光コネクタと嵌合する光コネクタは、光コネクタ１０６を収容した断面箱型の光アダプタ１０７からなり、光コネクタ１０２を保持固定するために用いられる。光アダプタ１０７は、光コネクタ１０２と同様の光コネクタ１０６を収容する箱型の外郭部３と、係合部材としてのロック用ばね１を備えている。光コネクタ１０６は、光コネクタ１０２の両側付近に、前から第１の方向に沿って後方に向かって設けられたピン孔２ａと同様なピン孔を備え、そのピン孔に位置決めピン４が夫々差し込まれている。
【００１７】
ロック用ばね１は、光アダプタ７の両側の内側面に設けられた回転軸１ｆを中心として、ハウジング２ｇに対して、第１の方向に直交する第２の方向で且つ回転軸１ｆを通る軸を中心軸として回転可能に設けられた回転板１ｉと一体に設けられたカム部１ａと、光コネクタ１０２に押圧力を加えるばね片１ｃとを一体に有する。ばね片１ｃは、板状の支持部１ｄと、支持部先端両側に逆のＳ字を描いて屈曲した係止部１ｂとを備えている。
【００１８】
次に、本発明の第１の実施の形態による光コネクタと光アダプタとの嵌合動作について説明する。図３を参照すると、光コネクタ１０２を光アダプタ１０７に収容された光コネクタ１０６に、ガイドピン４に沿って接続を行う際に光コネクタ１０２を、光アダプタ１０７挿入して行くと、光コネクタ１０２の被カム部であるカム２ｂの斜面２ｅとロック用ばね１のカム部１ａの斜面とが当接し、これによって、ロック用ばね１が、非ロック位置である第２の位置から回転軸１ｆを中心軸として回転していく。このとき、図４に示すように、ロック用ばね１の係止部１ｂもテーパ部２ｄに沿って移動し、上昇する。カム２ｂの平坦部２ｃおよびカム部１ａの平坦部１ｅが当接し、互いにスライドすることによって、係止部１ｂが斜面２ｄをはずれて、上昇し後端面の係合面２ｉに当接し、図５に示されるように、第１の回転位置において、ロックされロック用ばね１のばね片Ｉｃにより光コネクタ１０２に、光コネクタ１０６に向かって押圧が加えられる。
【００１９】
尚，ロックを解除するには、ロック用ばね１の係止部１ｂを下向きに押して、この係止部１ｂと係合面２ｉとの係合を解除すれば良い。
【００２０】
本発明の第１の実施の形態においては、多芯コネクタについて説明したが単芯についても同様である。また、光コネクタ同士について説明したが、光コネクタ１０２の接続側は、光コネクタ１０６に限定されない。
【００２１】
図６は本発明の第２の実施の形態による光モジュールを示す断面図である。
【００２２】
図６の様に、光学検出素子９を備えた素子モジュール１０８も同様に、ロック用ばね１を備えたものであるならば、光コネクタ１０２を第１の実施の形態と同様に接続することができる。
【産業上の利用可能性】
【００２３】
以上説明したように、本発明に係る光コネクタは、光ファイバ間の接続及び光ファイバと光モジュールとの接続に適用される。
【図面の簡単な説明】
【００２４】
【図１】本発明の第１の実施の形態による光コネクタを示す斜視図で、嵌合前の状態、を示している。
【図２】本発明の第１の実施の形態による光コネクタを示す斜視図で、嵌合時の状態を示している。
【図３】図１の光コネクタの断面図であり、嵌合前の状態を示している。
【図４】図１の光コネクタの断面図であり、嵌合直前の状態を示している。
【図５】図１の光コネクタの断面図であり、嵌合時の状態を示している。
【図６】本発明の第２の実施の形態による光モジュールを示す断面図である。
【図７】従来の光コネクタの一例を示す分解組立斜視図である。
【図８】従来の光アダプタの一例を示す斜視図である。
【符号の説明】
【００２５】
１    ロック用ばね
１ａ    カム部
１ｂ    係止部
１ｃ    ばね片
１ｄ    支持部
１ｅ    平坦部
１ｆ    回転軸
１ｉ    回転板
２ａ    ピン孔
２ｂ    カム（被カム部）
２ｄ    テーパ部
２ｅ    斜面
２ｇ    ハウジング
２ｈ    カム支持部
２ｉ    係合面
３    外郭部
４    光ファイバ
７    光アダプタ
９    光学検出素子
３１，４１    光コネクタ
３２    ピン
３３ａ    バネ片
３３    クリップ
３４    ファイバ
３５    ピン孔
４５    ハウジング
４６    ロック用ばね
４６ａ    ばね片
１０２，１０６    光コネクタ
１０７    光アダプタ
１０８    素子モジュール
【図１】
2005283649.tif 000003
【図２】
2005283649.tif 000004
【図３】
2005283649.tif 000005
【図４】
2005283649.tif 000006
【図５】
2005283649.tif 000007
【図６】
2005283649.tif 000008
【図７】
2005283649.tif 000009
【図８】
2005283649.tif 000010